(57)【要約】【課題】  液晶表示パネルのケースへの着脱操作を容易に行うことができるインターホン装置を提供する。【解決手段】  液晶表示パネル収容部９ａを前面に備えた長方形のケース９の枠部１２の長辺１２ａに夫々２個のネジ止め脚１４を裏面側に突設し、このネジ止め脚１４の一つに近接する枠部１２の中央寄りに、収容した液晶表示パネル８を係止するための可動係止爪１６を設け、可動係止爪１６の更に中央寄りの枠部１２に底面途中まで切り込んだスリット１９を設けた。ネジ止め脚１４がケース９内方へ傾倒操作されると可動係止爪１６が連動して係止解除動作し、スリット１９によりネジ止め脚１４を傾倒した際の撓む範囲を最小限に抑えた。【選択図】  図３
2007208505.tif 000002
【特許請求の範囲】
【請求項１】
カメラ付玄関子機と、前記カメラの撮像映像を出画する長方形の液晶モニタを備えた居室親機とを有するインターホン装置において、
前記液晶モニタは、表示画面を構成する液晶表示パネルと、該液晶表示パネルを収容してハウジングに固定するための長方形の有底枠体とからなり、
前記有底枠体の枠部長辺には裏面に突出した複数のネジ止め脚を一体に形成すると共に、前記有底枠体の枠部における前記ネジ止め脚の任意の一つの中央寄り近傍には、収容した前記液晶表示パネルを係止するための可動係止爪を設け、更に前記可動係止爪の中央寄り近傍には、前記可動係止爪に隣接する枠部から有底枠体底面の内方にかけてスリットを設け、
前記可動係止爪と当該可動係止爪に対向する枠部に設けた固定係止部とで収容した液晶表示パネルを係止し、前記ネジ止め脚が有底枠体内方へ傾倒操作されると前記可動係止爪の係止動作が解除されることを特徴とするインターホン装置。
【請求項２】
前記ネジ止め脚のうち、少なくとも可動係止爪を近傍に備えたネジ止め脚は補強リブを備え、傾倒操作に対して耐性を有することを特徴とする請求項１記載のインターホン装置。
【請求項３】
近傍に前記可動係止爪を有するネジ止め脚と前記スリットとの距離は、１０ｍｍ以下であることを特徴とする請求項１又は請求項２記載のインターホン装置。
【請求項４】
前記スリットの深さは、５〜１５ｍｍであることを特徴とする請求項１乃至請求項３の何れかに記載のインターホン装置。
【発明の詳細な説明】
【技術分野】
【０００１】
本発明は、液晶モニタを備えた居室親機を有するインターホン装置に関し、詳しくは居室親機の液晶モニタの組み立ての改良に関する。
【背景技術】
【０００２】
玄関子機に来訪者を撮像するためのカメラを設けると共に、居室親機にそのカメラの撮像映像を出画するモニタを設けて、来訪者を確認しながら通話を可能としたインターホン装置が普及している。このようなモニタとしては液晶表示パネルを使用した液晶モニタが薄型にできるため広く利用されている。
このモニタに使用される液晶表示パネルは、専用ケースに収容されてケースに設けたネジ止め部を居室親機ハウジングにネジ止めすることで取り付けられている。また、ケース裏面には駆動回路基板が組み付けられる（例えば、特許文献１参照）。
【０００３】
【特許文献１】特開２００３−１５１５０号公報
【特許文献２】特開平９−１８８１０号公報
【発明の開示】
【発明が解決しようとする課題】
【０００４】
しかしながら、上記従来のインターホン装置においては、ケースに収容した液晶表示パネルの固定は、ケースに設けられた堅牢な係止爪が収容した液晶表示パネルを係止して成される構造であるため、液晶表示パネルを収容する際、係止爪を拡開させる圧入操作が不可欠であった。そのため、収容する際に大きなストレスが液晶表示パネルに加わる事になり、組み立て性に難があった。また、この係止爪があるためメンテナンスの際に液晶表示パネルを取り外そうとする場合も面倒であり、液晶表示パネルを破損する虞があった。
こういった組み立て性を改善する方法として、例えば、係止爪を用いずに裏面を粘着テープで止める形態がモニタが陰極線管の場合には採用（例えば、特許文献２参照）されていたが、輸送の振動等で外れてしまう虞があったし、一度接着したものは剥がし難くメンテナンスに難があった。
【０００５】
そこで、本発明はこのような問題点に鑑み、液晶表示パネルのケースへの着脱操作を容易に行うことができるインターホン装置を提供することを目的としている。
【課題を解決するための手段】
【０００６】
上記課題を解決する為に、請求項１に記載の発明は、カメラ付玄関子機と、カメラの撮像映像を出画する長方形の液晶モニタを備えた居室親機とを有するインターホン装置において、液晶モニタは、表示画面を構成する液晶表示パネルと、液晶表示パネルを収容してハウジングに固定するための長方形の有底枠体とからなり、有底枠体の枠部長辺には裏面に突出した複数のネジ止め脚を一体に形成すると共に、有底枠体の枠部におけるネジ止め脚の任意の一つの中央寄り近傍には、収容した液晶表示パネルを係止するための可動係止爪を設け、更に可動係止爪の中央寄り近傍には、可動係止爪に隣接する枠部から有底枠体底面の内方にかけてスリットを設け、可動係止爪と可動係止爪に対向する枠部に設けた固定係止部とで収容した液晶表示パネルを係止し、ネジ止め脚が有底枠体内方へ傾倒操作されると可動係止爪の係止動作が解除されることを特徴とする。
この発明によれば、スリットを可動係止爪の近傍に設けることにより、可動係止爪の係止解除操作をスムーズに実施でき、有底枠体へ液晶表示パネルの収容及び取り外し操作を容易にできる。従って、液晶モニタの組み立てやメンテナンスがし易くなるし、可動係止爪は１個であるため開放させる部位は１箇所で良く、液晶表示パネルの組み付け操作がし易い。
【０００７】
請求項２の発明は、請求項１に記載の発明において、ネジ止め脚のうち、少なくとも可動係止爪を近傍に備えたネジ止め脚は補強リブを備え、傾倒操作に対して耐性を有することを特徴とする。
この発明によれば、ネジ止め脚を補強しているので、組み立て時にネジ止め脚が傾倒操作されても破損し難い。
【０００８】
請求項３の発明は、請求項１又は２記載の発明において、近傍に可動係止爪を有するネジ止め脚とスリットとの距離は、１０ｍｍ以下であることを特徴とする。
この発明によれば、ネジ止め脚の傾倒作用がスリットの先に及ばないので、比較的小さな力でネジ止め脚を傾倒操作できるし、傾倒作用を効果的に可動係止爪の開動作に移行させることができる。
【０００９】
請求項４の発明は、請求項１乃至３の何れかの発明において、スリットの深さは、５〜１５ｍｍであることを特徴とする。
この発明によれば、ネジ止め脚の傾倒作用がスリットの先に及ばないので、比較的小さな力でネジ止め脚を傾倒操作できるし、傾倒作用を効果的に可動係止爪の開動作に移行させることができる。
【発明の効果】
【００１０】
本発明によれば、スリットを可動係止爪の近傍に設けることにより、可動係止爪の係止解除操作をスムーズに実施でき、有底枠体へ液晶表示パネルの収容及び取り外し操作を容易にできる。従って、液晶モニタの組み立てやメンテナンスがし易くなるし、可動係止爪は１個であるため開放させる部位は１箇所で良く、液晶表示パネルの組み付け操作がし易い。
【発明を実施するための最良の形態】
【００１１】
以下、本発明を具体化した実施の形態を、図面に基づいて詳細に説明する。図１は本発明に係るインターホン装置を構成する居室親機の外観図を示し、図２はその居室親機に設けられた液晶モニタの外観図、図３は液晶モニタの分解斜視図を示している。尚、本発明のインターホン装置は、玄関に設置されて居住者を呼び出すためのカメラを備えた玄関子機と、この居室親機とで構成されるが、発明の要部である居室親機のみ示し、玄関子機の記載は省略している。
【００１２】
図において、１ａはケース上、１ｂはケース下であり、双方で居室親機１０のハウジング１を形成し、ハウジング１の内部に、基板、電子部品、スピーカ、マイク等（図示せず）が配置されている。そして、前面に来訪者映像を出画するためのモニタである液晶モニタ２、通話ボタン３、各種操作ボタン４，４・・を備えている。尚、５はスピーカ報音孔、６はマイク集音孔である。
【００１３】
液晶モニタ２は、図２，図３に示すように、長方形板状の液晶表示パネル８と、この液晶表示パネル８をハウジング１に取り付けるためのケース９とで構成されている。このケース９は、液晶表示パネル８に合わせて長方形に形成され、液晶表示パネル８の周囲を囲む枠部１２と底面１３を備えた有底枠体であり、前面が開放された液晶表示パネル収容部９ａを備えている。
【００１４】
そして、枠部１２の長辺１２ａの夫々左右２ヶ所、計４ヶ所にネジ止め脚１４が背面に突出して設けられ、これら枠部１２、底面１３、ネジ止め脚１４は合成樹脂の一体成形で形成されている。ネジ止め脚１４は、図４のケース９の背面斜視図に示すように、長辺１２ａの夫々対向する２ヶ所に設けられ、液晶モニタ２をハウジング１にネジ止めするためのネジ挿通孔１５が略Ｌ字状に折り曲げ形成された先端に設けられている。尚、このケース９の背面に形成された空間は、前面側に収容した液晶表示パネル８の駆動回路を組み込むための空間となっている。
【００１５】
また、枠部１２の長辺１２ａ前面には、収容した液晶表示パネル８の表面端部を係止保持する帯状突起から成る係止手段（１個の可動係止爪１６、２個の固定係止片１７）が設けられ、一方の長辺１２ａの１ヶ所、他方の長辺１２ａの２ヶ所設けられている。この係止手段のうち、一方の長辺に設けられた可動係止爪は、係止解除動作が可能に形成され、１つのネジ止め脚１４の近傍であって中央寄りに配置されている。他方の長辺１２ａに設けられた２個の固定係止片１７は固定配置され、左右両端に配置されている。
そして、可動係止爪１６に隣接する長辺１２ａの更に中央寄りには、枠部１２から底面１３の途中に掛けて長辺１２ａに直交する方向にスリット１９が設けられている。
【００１６】
具体的には、ネジ止め脚１４端部からスリット１９までの距離Ｔは８ｍｍであり、この間に可動係止爪１６が設けられている。また、スリット１９の底面１３の切り込み量Ｄは１０ｍｍで形成されている。但し、この寸法は限定するものではなく、ネジ止め脚１４端部からスリット１９までの距離Ｔは１０ｍｍ以下であれば、即ち可動係止爪がネジ止め脚から１０ｍｍ以内であれば、可動係止爪１６はネジ止め脚１４の傾倒により良好に開動作する。また、スリット１９の切り込み量Ｄは、深くすれば僅かな力で開放操作が可能となるが、ケース９の強度が劣化してしまうため、５〜１５ｍｍ程度が好ましい。
尚、可動係止爪１６はネジ止め脚１４基部からスリット１９に亘り形成されているが、何れかに近接する部位のみに設けても良いし、ネジ止め脚１４と同一部位に形成しても良い。
【００１７】
このように可動係止爪１６及びスリット１９を設けることで、可動係止爪１６を近傍に有するネジ止め脚１４をケース内方に傾倒操作すれば、底面１３を支点に反対側のネジ止め脚１４基部の長辺枠部１２ａは引きずられて外側に撓み、係止解除動作する。そして、スリット１９により、この枠部１２の撓みは枠部１２及び底面１３の特定部位のみ発生するため、撓み範囲を僅かな範囲に留めることができる。
【００１８】
一方、ネジ止め脚１４には補強リブ２０が設けられ、先端ネジ挿通孔１５の周囲には対応するハウジング１側に設けられたボスを位置決めするための係合溝２１が設けられている。補強リブ２０は、各ネジ止め脚１４の背面に脚の長手方向に延設され、ある程度の力が加えられてもネジ止め脚１４が変形したり破損するのを防いでいる。また、係合溝２１は、対応するボスの形状に合わせて円形凹部として形成されている。こうして、係合溝２１にボスが嵌まり込んで位置決めされ、ネジ止めをスムーズに行う事ができる。
【００１９】
図５は、液晶モニタ２を組み付けたインターホン親機ハウジング１のケース上１ａ裏面を示している。この図５に示すように、ケース上１ａ裏面の開口されたモニタ取付部周囲には、ネジ止め脚１４を取り付けるための円柱形状のボス２３が突設されている。このボス２３には中心軸上にネジ螺入孔が設けられ、ネジ止め脚１４側から挿入されたネジ２４が螺入される。
【００２０】
次に、このように構成された液晶モニタ２の組み立て及び取付手順を説明する。まず、ケース９に液晶表示パネル８を取り付けて液晶モニタ２を組み立てる。このとき、ネジ止め脚１４をケース内側方向へ押し込み傾倒操作することで、可動係止爪１６が開放動作して液晶表示パネル８をスムーズにケース１０に収容できる。この傾倒操作は対向配置されたネジ止め脚１４同士を摘んで引き寄せる操作により容易に実施できる。
液晶表示パネル８を収容したら、傾倒操作を解除することで１つの可動係止爪１６と２つの固定係止部１７とが液晶表示パネル８を係止し、液晶表示パネル８はケース９に固定される。
【００２１】
こうして組み立てられた液晶モニタ２は、ネジ止め脚１４をケース上１ａのボスに位置合わせして当接させることで、ネジ止め脚１４の係合溝２１にボス２３が嵌まり込んで位置決めされ、この状態でネジ２４によって固定する。この位置決め作用でネジ止めをスムーズに行う事ができる。また、液晶表示パネル８を取り外す場合は、ケース上１ａから液晶モニタ２を取り外した後、同様にネジ止め脚１４を傾倒操作することで容易に行うことができる。
【００２２】
このように、スリットを可動係止爪の近傍に設けることにより、可動係止爪の係止解除操作をスムーズに実施でき、有底枠体へ液晶表示パネルの収容及び取り外し操作を容易にできる。従って、液晶モニタの組み立てやメンテナンスがし易くなるし、可動係止爪は１個であるため開放させる部位は１箇所で良く、液晶表示パネルの組み付け操作がし易い。
また、ネジ止め脚の傾倒作用がスリットの先に及ばないので、比較的小さな力でネジ止め脚を傾倒操作できるし、傾倒作用を効果的に可動係止爪の開動作に移行させることができるし、ケース全体に対するストレスも軽減できる。
【００２３】
尚、上記実施形態では、ケース上１ａに液晶モニタ２を固定しているが、ケース下１ｂに固定する構成としても良い。また、ネジ止め脚１４を夫々の長辺１２ａに一対ずつ計４個設けた場合を説明しているが、ネジ止め脚１４の数は４個でなくも良く、何れか１つのネジ止め脚１４に対してその中央寄りに可動係止爪１６及びスリット１９を設ければ良い。また、複数のネジ止め脚１４に対して可動係止爪１６及びスリット１９を設ける構成が考えられるが、係止操作の作業性の点では１つのみ設けるのが好適である。
【図面の簡単な説明】
【００２４】
【図１】本発明に係るインターホン装置の居室親機の外観図である。
【図２】図１の液晶モニタの外観図である。
【図３】図２の液晶モニタの分解斜視図である。
【図４】ケースの裏面側斜視図である。
【図５】液晶モニタを組み付けたインターホン親機のケース上裏面斜視図である。
【符号の説明】
【００２５】
１・・ハウジング、１ａ・・ケース上、２・・液晶モニタ、８・・液晶表示パネル、９・・ケース（有底枠体）、９ａ・・液晶表示パネル収容部、１２・・枠部、１２ａ・・長辺、１２ｂ・・短辺、１３・・底面、１４・・ネジ止め脚、１５・・ネジ挿通孔、１６・・可動係止爪、１７・・固定係止部、１９・・スリット、２０・・補強リブ。
【図１】
2007208505.tif 000003
【図２】
2007208505.tif 000004
【図３】
2007208505.tif 000005
【図４】
2007208505.tif 000006
【図５】
2007208505.tif 000007